【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
多孔性ウェブを形成するべく混ぜ合わされた溶融成形された連続フィラメントと、少なくとも１つの前記フィラメントに配置したヒドロゲル材料とを含む移植可能物品であって、前記フィラメントが多数の接触点で互いに自己密着し、前記フィラメントが、少なくとも１つの非晶質重合体構成成分に共有結合した又はこの構成成分と配合された少なくとも１つの半結晶性重合体構成成分を含んで成り、該フィラメントが、結晶状態にある時に部分的乃至は完全な重合体構成成分相非混和性を有する物品であって、多孔率を事実上低減させ得る何らかの充填材又はその他の付加的な構成成分を含まない場合に９０超の多孔性百分率を有する移植可能物品。
【請求項２】
前記ヒドロゲルが架橋されている、請求項１に記載の移植可能物品。
【請求項３】
前記ヒドロゲル材料が、前記フィラメント間に存在する少なくとも１つの空隙空間の少なくとも一部を充填する、請求項１に記載の移植可能物品。
【請求項４】
前記ヒドロゲルが架橋されている、請求項３に記載の移植可能物品。
【請求項５】
多孔率を事実上低減させ得る何らかの充填材又はその他の付加的な構成成分が不在である場合に９１超の多孔性百分率を有する、請求項１に記載の移植可能物品。
【請求項６】
前記ヒドロゲル材料がポリビニルアルコールを含んで成る、請求項１に記載の移植可能物品。
【請求項７】
前記ヒドロゲル材料がカルボキシメチルセルロースを含んで成る、請求項１に記載の移植可能物品。
【請求項８】
前記ヒドロゲル材料がポリエチレングリコールおよびポリプロピレングリコールの共重合体を含んで成る、請求項１に記載の移植可能物品。
【請求項９】
前記ヒドロゲル材料がポリビニルアルコールを含んで成る、請求項２に記載の移植可能物品。
【請求項１０】
前記ヒドロゲル材料がカルボキシメチルセルロースを含んで成る、請求項２に記載の移植可能物品。
【請求項１１】
前記ヒドロゲル材料がポリエチレングリコールおよびポリプロピレングリコールの共重合体を含んで成る、請求項２に記載の移植可能物品。
【請求項１２】
前記ヒドロゲル材料がポリビニルアルコールを含んで成る、請求項３に記載の移植可能物品。
【請求項１３】
前記ヒドロゲル材料がカルボキシメチルセルロースを含んで成る、請求項３に記載の移植可能物品。
【請求項１４】
前記ヒドロゲル材料がポリエチレングリコールおよびポリプロピレングリコールの共重合体を含んで成る、請求項３に記載の移植可能物品。
【請求項１５】
前記ヒドロゲル材料と組み合わせて生物活性種をさらに含んで成る、請求項１に記載の移植可能物品。
【請求項１６】
該生物活性種が抗炎症剤を含んで成る、請求項１５に記載の移植可能物品。
【請求項１７】
該抗炎症剤がデキサメタゾンである、請求項１６に記載の移植可能物品。
【請求項１８】
前記架橋したヒドロゲル材料と組み合わせて生物活性種をさらに含んで成る、請求項２に記載の移植可能物品。
【請求項１９】
該生物活性種が抗炎症剤を含んで成る、請求項１８に記載の移植可能物品。
【請求項２０】
該抗炎症剤がデキサメタゾンである、請求項１９に記載の移植可能物品。
【請求項２１】
前記ヒドロゲル材料と組み合わせて生物活性種をさらに含んで成る、請求項３に記載の移植可能物品。
【請求項２２】
該生物活性種が抗炎症剤を含んで成る、請求項２１に記載の移植可能物品。
【請求項２３】
該抗炎症剤がデキサメタゾンである、請求項２２に記載の移植可能物品。
【請求項２４】
前記ヒドロゲル材料がポリビニルアルコールを含んで成る、請求項４に記載の移植可能物品。
【請求項２５】
前記ヒドロゲル材料がカルボキシメチルセルロースを含んで成る、請求項４に記載の移植可能物品。
【請求項２６】
前記ヒドロゲル材料がポリエチレングリコールおよびポリプロピレングリコールの共重合体を含んで成る、請求項４に記載の移植可能物品。
【請求項２７】
前記架橋したヒドロゲル材料と組み合わせて生物活性種をさらに含んで成る、請求項４に記載の移植可能物品。
【請求項２８】
該生物活性種が抗炎症剤を含んで成る、請求項２７に記載の移植可能物品。
【請求項２９】
該抗炎症剤がデキサメタゾンである、請求項２８に記載の移植可能物品。
【請求項３０】
多孔性ウェブを形成するべく混ぜ合わされた溶融成形された連続フィラメントと、少なくとも１つの前記フィラメントに配置したヒドロゲル材料とを含む移植可能物品であって、前記フィラメントが多数の接触点で互いに自己密着し、前記フィラメントが、少なくとも１つの付加的な半結晶性重合体構成成分に共有結合した又はこの構成成分と配合された第１の半結晶性重合体構成成分を含んで成り、該フィラメントが、結晶状態にある時に部分的乃至は完全な重合体構成成分相非混和性を有する物品であって、多孔率を事実上低減させ得る何らかの充填材又はその他の付加的な構成成分を含まない場合に９０超の多孔性百分率を有する移植可能物品。
【請求項３１】
前記ヒドロゲルが架橋されている、請求項３０に記載の移植可能物品。
【請求項３２】
前記ヒドロゲル材料が、前記フィラメント間に存在する少なくとも１つの空隙空間の少なくとも一部を充填する、請求項３０に記載の移植可能物品。
【請求項３３】
前記ヒドロゲル材料が架橋されている、請求項３２に記載の移植可能物品。
【請求項３４】
多孔率を事実上低減させ得る何らかの充填材又はその他の付加的な構成成分が不在である場合に９１超の多孔性百分率を有する、請求項３０に記載の移植可能物品。
【請求項３５】
前記ヒドロゲル材料がポリビニルアルコールを含んで成る、請求項３０に記載の移植可能物品。
【請求項３６】
前記ヒドロゲル材料がカルボキシメチルセルロースを含んで成る、請求項３０に記載の移植可能物品。
【請求項３７】
前記ヒドロゲル材料がポリエチレングリコールおよびポリプロピレングリコールの共重合体を含んで成る、請求項３０に記載の移植可能物品。
【請求項３８】
前記ヒドロゲル材料がポリビニルアルコールを含んで成る、請求項３１に記載の移植可能物品。
【請求項３９】
前記ヒドロゲル材料がカルボキシメチルセルロースを含んで成る、請求項３１に記載の移植可能物品。
【請求項４０】
前記ヒドロゲル材料がポリエチレングリコールおよびポリプロピレングリコールの共重合体を含んで成る、請求項３１に記載の移植可能物品。
【請求項４１】
前記ヒドロゲル材料がポリビニルアルコールを含んで成る、請求項３２に記載の移植可能物品。
【請求項４２】
前記ヒドロゲル材料がカルボキシメチルセルロースを含んで成る、請求項３２に記載の移植可能物品。
【請求項４３】
前記ヒドロゲル材料がポリエチレングリコールおよびポリプロピレングリコールの共重合体を含んで成る、請求項３２に記載の移植可能物品。
【請求項４４】
前記ヒドロゲル材料と組み合わせて生物活性種をさらに含んで成る、請求項３０に記載の移植可能物品。
【請求項４５】
該生物活性種が抗炎症剤を含んで成る、請求項４４に記載の移植可能物品。
【請求項４６】
該抗炎症剤がデキサメタゾンである、請求項４５に記載の移植可能物品。
【請求項４７】
前記架橋したヒドロゲル材料と組み合わせて生物活性種をさらに含んで成る、請求項４０に記載の移植可能物品。
【請求項４８】
該生物活性種が抗炎症剤を含んで成る、請求項４７に記載の移植可能物品。
【請求項４９】
該抗炎症剤がデキサメタゾンである、請求項４８に記載の移植可能物品。